(57)【要約】  【課題】イニシャルプルダウン時や商品投入時に、商品を所定の温度まで冷却する時間を短縮し、大量販売に対応すること。  【解決手段】庫内負荷制御の優先順位を決定するための負荷制御優先順位識別部１００が決定した特定の庫内に対して、背面ダクト風路調整部９０が背面ダクト９０ｂの吸込み部を下げ、ファン風量調整部９１が庫内ファン９１ｂの風量を増やすことで、冷却能力を上げ、イニシャルプルダウン時や商品が投入されて急速に冷却が必要な場合においても、商品を所定の温度へ冷却する時間を短縮することができ、大量販売に対応できる自動販売機の制御装置を提供することができる。【選択図】図１
2010160677.tif 000002
【特許請求の範囲】
【請求項１】
複数の庫内を冷却・加温する冷却加温装置を備えた自動販売機において、庫内負荷制御の優先順位を決定するための負荷制御優先順位識別部と、電磁弁・ファン・圧縮機を制御するための負荷制御部と、背面ダクトの吸込み高さを調整するための背面ダクト風路調整部と、ファンの風量を調整するためのファン風量調整部とを備え、前記負荷制御優先順位識別部が決定した特定の庫内に対して、前記背面ダクト風路調整部が背面ダクトの吸込み部を下げ、前記ファン風量調整部が庫内ファンの風量を増やすことを特徴とした自動販売機の制御装置。
【請求項２】
前記負荷制御優先順位識別部は庫内構成や冷温設定で優先順位を決定する庫内状態識別部を有することを特徴とする請求項１に記載の自動販売機の制御装置。
【請求項３】
前記庫内状態識別部は容積が大きい庫内の負荷制御優先順位を高くすることを特徴とする請求項２に記載の自動販売機の制御装置。
【請求項４】
前記庫内状態識別部は加温庫内横の冷却設定庫内の負荷制御優先順位を高くすることを特徴とする請求項２に記載の自動販売機の制御装置。
【請求項５】
前記負荷制御優先順位識別部はロケーションの状態や販売設定で優先順位を決定するロケーション状態識別部を有することを特徴とする請求項１に記載の自動販売機の制御装置。
【請求項６】
前記ロケーション状態識別部は販売量の多い庫内の負荷制御優先順位を高くすることを特徴とする請求項５に記載の自動販売機の制御装置。
【請求項７】
前記ロケーション状態識別部は販売促進商品が収容されている庫内の負荷制御優先順位を高くすることを特徴とする請求項５に記載の自動販売機の制御装置。
【発明の詳細な説明】
【技術分野】
【０００１】
本発明は自動販売機の大量販売に対応した制御装置に関するものである。
【背景技術】
【０００２】
従来、この種の自動販売機は、冷却または加温されにくい商品収容庫の最下端に収納されている商品も他の収容庫と同様に冷却または加温できるような構造となっている（例えば、特許文献１参照）。
【０００３】
図６は、特許文献１に記載された従来の自動販売機の構造を示すものである。図６に示すように、冷却または加熱された空気をシュ−ト１８の前部から本体１２上部へ流す前部ダクト４４を最前列のストレ−トコラム１４の前方に設け、冷却または加熱された空気をシュ−ト１８の後部から本体１２上部へ流す後部ダクト４６を最後列のストレ−トコラム１４の後方に設け、前部ダクト４４及び後部ダクト４６から流れてきた空気を本体１２上部から本体１２下部にある冷却装置２０またはヒ−タ２２へ戻すリタ−ンダクト４８を後部ダクト４６の後方に設けた構成となっている。
【０００４】
以上のように構成された自動販売機の空気の循環について、以下その動作を説明する。
【０００５】
まず、シュ−ト１８から送風された空気は、最前列のストレ−トコラム１４の前方に設けられた前部ダクト４４を通って、本体１２の上方に至る。また、シュ−ト１８の後側から送風された空気は、最後列のストレ−トコラム１４の後方に設けられた後部ダクト４６を経て、本体１２の上部に至る。これら前部ダクト４４及び後部ダクト４６を経て、本体１２の上部に至った空気は、後部ダクト４６のさらに後方に設けられたリタ−ンダクト４８を経て、本体１２の下部に戻る。以上より、ストレ−トコラム１４のすべての缶Ｋが冷却または加熱される。特に、従来冷えにくいとされてきたストレ−トコラム１４の最後列の最下端に収納されている缶は、後部ダクト４６を設けたことにより、他のコラムに収納された缶と同様に冷却される。
【特許文献１】特開平５−２８３５３号公報
【発明の開示】
【発明が解決しようとする課題】
【０００６】
しかしながら、上記従来の構成では、後部ダクト４６が高い為トータルクーリングとなっており、そして、庫内ファンの風量を調整することができないために、イニシャルプルダウン時や商品投入時に、商品を所定の温度まで冷却するのに時間がかかるという課題を有していた。
【０００７】
本発明は、上記従来の課題を解決するもので、イニシャルプルダウン時や商品が投入されて急速に冷却が必要な場合においても、商品を所定の温度へ冷却する時間を短縮することができ、大量販売に対応できる自動販売機の制御装置を提供することを目的とする。
【課題を解決するための手段】
【０００８】
上記従来の課題を解決するために、本発明の自動販売機の制御装置は、庫内負荷制御の優先順位を決定するための負荷制御優先順位識別部が決定した特定の庫内に対して、背面ダクト風路調整部が背面ダクトの吸込み部を下げ、ファン風量調整部が庫内ファンの風量を増やすこととしたものである。
【０００９】
これによって、負荷制御優先順位識別部が決定した特定の庫内に対して、背面ダクトの吸込み部を下げ、庫内ファンの風量を増やし、冷却能力を上げることで、イニシャルプルダウン時や商品が投入されて急速に冷却が必要な場合においても、商品を所定の温度へ冷却する時間を短縮することができる。
【発明の効果】
【００１０】
本発明の自動販売機の制御装置は、負荷制御優先順位識別部が決定した特定の庫内に対して、背面ダクトの吸込み部を下げ、庫内ファンの風量を増やし、冷却能力を上げることで、イニシャルプルダウン時や商品が投入されて急速に冷却が必要な場合においても、商品を所定の温度へ冷却する時間を短縮することができ、大量販売に対応できる。
【発明を実施するための最良の形態】
【００１１】
請求項１に記載の発明は、複数の庫内を冷却・加温する冷却加温装置を備えた自動販売機において、庫内負荷制御の優先順位を決定するための負荷制御優先順位識別部と、電磁弁・ファン・圧縮機を制御するための負荷制御部と、背面ダクトの吸込み高さを調整するための背面ダクト風路調整部と、ファンの風量を調整するためのファン風量調整部とを備え、前記負荷制御優先順位識別部が決定した特定の庫内に対して、前記背面ダクト風路調整部が背面ダクトの吸込み部を下げ、前記ファン風量調整部が庫内ファンの風量を増やすものであり、冷却能力を上げることで、イニシャルプルダウン時や商品が投入されて急速に冷却が必要な場合においても、商品を所定の温度へ冷却する時間を短縮することができ、大量販売に対応できる。
【００１２】
請求項２に記載の発明は、請求項１に記載の発明において、前記負荷制御優先順位識別部は庫内構成や冷温設定で優先順位を決定する庫内状態識別部を有するものであり、容積の大きい庫内や加温設定された横の庫内といった冷却するのに時間のかかる庫内に対して、前記背面ダクト風路調整部が背面ダクトの吸込み部を下げ、前記ファン風量調整部が庫内ファンの風量を増やすことにより、冷却能力を上げることで、イニシャルプルダウン時や商品が投入されて急速に冷却が必要な場合においても、商品を所定の温度へ冷却する時間を短縮することができ、大量販売に対応できる。
【００１３】
請求項３に記載の発明は、請求項２に記載の発明において、前記庫内状態識別部は容積が大きい庫内の負荷制御優先順位を高くするものであり、容積の大きい庫内といった冷却するのに時間のかかる庫内に対して、前記背面ダクト風路調整部が背面ダクトの吸込み部を下げ、前記ファン風量調整部が庫内ファンの風量を増やすことにより、冷却能力を上げることで、イニシャルプルダウン時や商品が投入されて急速に冷却が必要な場合においても、商品を所定の温度へ冷却する時間を短縮することができ、大量販売に対応できる。
【００１４】
請求項４に記載の発明は、請求項２に記載の発明において、前記庫内状態識別部は加温庫内横の冷却設定庫内の負荷制御優先順位を高くするものであり、加温設定された横の庫内といった冷却するのに時間のかかる庫内に対して、前記背面ダクト風路調整部が背面ダクトの吸込み部を下げ、前記ファン風量調整部が庫内ファンの風量を増やすことにより、冷却能力を上げることで、商品が投入されて急速に冷却が必要な場合においても、商品を所定の温度へ冷却する時間を短縮することができ、大量販売に対応できる。
【００１５】
請求項５に記載の発明は、請求項１に記載の発明において、前記負荷制御優先順位識別部はロケーションの状態や販売設定で優先順位を決定するロケーション状態識別部を有するものであり、販売量の多い庫内や販売したい商品が多く収納されている庫内に対して、前記背面ダクト風路調整部が背面ダクトの吸込み部を下げ、前記ファン風量調整部が庫内ファンの風量を増やすことにより、冷却能力を上げることで、販売量が多く早急に冷却商品を販売する必要がある場合や、より早く販売したい商品がある場合においても、商品を所定の温度へ冷却する時間を短縮することができ、大量販売に対応できる。
【００１６】
請求項６に記載の発明は、請求項５に記載の発明において、前記ロケーション状態識別部は販売量の多い庫内の負荷制御優先順位を高くするものであり、販売量の多い庫内に対して、前記背面ダクト風路調整部が背面ダクトの吸込み部を下げ、前記ファン風量調整部が庫内ファンの風量を増やすことにより、冷却能力を上げることで、販売量が多く早急に冷却商品を販売する必要がある場合においても、商品を所定の温度へ冷却する時間を短縮することができ、大量販売に対応できる。
【００１７】
請求項７に記載の発明は、請求項５に記載の発明において、前記ロケーション状態識別部は販売促進商品が収容されている庫内の負荷制御優先順位を高くするものであり、販売したい商品が多く収納されている庫内に対して、前記背面ダクト風路調整部が背面ダクトの吸込み部を下げ、前記ファン風量調整部が庫内ファンの風量を増やすことにより、冷却能力を上げることで、より早く販売したい商品がある場合においても、商品を所定の温度へ冷却する時間を短縮することができ、大量販売に対応できる。
【００１８】
以下、本発明の実施の形態について、図面を参照しながら説明するが、従来例または先に説明した実施の形態と同一構成について同一符号を付して、その詳細な説明は省略する。尚、この実施の形態によってこの発明が限定されるものではない。
【００１９】
（実施の形態１）
図１は、本発明の実施の形態１における自動販売機の制御装置の構成図である。図２は、本発明の第１の実施の形態における自動販売機の制御装置の動作を示すフローチャートである。
【００２０】
図１において、背面ダクト９０ｂの吸込み高さを記憶するための背面ダクト高さ記憶部９０ａと背面ダクト９０ｂの吸込み高さを調整するための背面ダクト風路調整部９０と、庫内ファン９１ｂの風量を記憶するためのファン風量記憶部９１ａと庫内ファン９１ｂの風量を調整するためのファン風量調整部９１と、電磁弁９２ａと圧縮機９２ｂを制御するための負荷制御部９２と、庫内の容積を記憶するための庫内容積記憶部１１１ａと各庫内の容積を比較して大小を識別するための庫内容積識別部１１１と、各庫内の冷却加温設定を記憶するための冷却加温設定記憶部１１２ａと各庫内の設定を識別するための冷却加温設定識別部１１２と、庫内容積識別部１１１と冷却加温設定識別部１１２とを含む庫内状態識別部１１０と、各庫内の商品の販売量を記憶するための販売量記憶部１２１ａと各庫内の販売量を比較して数量を識別するための販売量識別部１２１と、各庫内毎に販売を促進している商品の数量を記憶するための販売促進商品記憶部１２２ａと販売を促進している商品の有無とその数量を識別するための販売促進商品識別部１２２と、販売量識別部１２１と販売促進商品識別１２２とを含むロケーション状態識別部１２０と、庫内状態識別部１１０とロケーション状態識別部１２０とを含む負荷制御優先順位識別部１００と、以上を制御する主制御部２００とから構成されている。
【００２１】
以上のように構成された自動販売機の制御装置について、以下その動作、作用を説明する。
【００２２】
図２において、まず、庫内容積識別部１１１が庫内容積記憶部１１１ａに記憶されている庫内１〜庫内３の庫内の容積を比較する（ステップ１１・ステップ１２）。ステップ１２で、容積の大きい順に、庫内１・庫内２・庫内３となった場合（ステップ１３）、負荷制御優先順位を庫内１・庫内２・庫内３の順に決定する（ステップ５・ステップ６）。
【００２３】
次に、背面ダクト風路調整部９０が背面ダクト９０ｂの吸込み高さを調整する（ステップ７）。負荷制御優先順位の高い順に背面ダクト９０ｂの吸込み高さを低くする、つまり庫内１を最も低く、庫内３を最も高く、庫内２を庫内１と庫内３の中間の高さにする（ステップ８）。そして、ファン風量調整部９１が庫内ファン９１ｂの風量を調整する（ステップ９）。負荷制御優先順位の高い順に風量を多くする、つまり庫内１を最も多く、庫内３を最も少なく、庫内２を庫内１と庫内３の中間の風量にする（ステップ１０）。以上で処理を終了する。
【００２４】
以上のように、本実施の形態においては、庫内状態識別部１１０（負荷制御優先順位識別部１００）を庫内容積識別部１１１とすることにより、容積の大きい庫内といった冷却するのに時間のかかる庫内に対して、背面ダクト９０ｂの高さを低くし、庫内ファン９１ｂの風量を多くすることで冷却能力を上げることができるため、イニシャルプルダウン時や商品が投入されて急速に冷却が必要な場合においても、商品を所定の温度へ冷却する時間を短縮することができ、大量販売に対応できる。
【００２５】
なお、容積の大きい順は庫内１・庫内２・庫内３に限定されるものではない。
【００２６】
また、全庫内の容積が大きい大型自販機の場合、全庫内の背面ダクト９０ｂの吸込み高さを低くし、庫内ファン９１ｂの風量を多くしても同様の効果を得ることができる。
【００２７】
（実施の形態２）
図１は、本発明の実施の形態２における自動販売機の制御装置の構成図であり、詳細な説明は実施の形態１に記載しているため省略する。
【００２８】
図３は、本発明の第２の実施の形態における自動販売機の制御装置の動作を示すフローチャートであり、以下その動作、作用を説明する。
【００２９】
図３において、まず、冷却加温設定識別部１１２が冷却加温設定記憶部１１２ａに記憶されている庫内１〜庫内３の冷却加温設定を識別する（ステップ２１）。庫内１が冷却・庫内２も冷却・庫内３が加温設定の場合（ステップ２２）、負荷制御優先順位について、庫内２を高く、庫内１と庫内３を低く設定する（ステップ２３）。
【００３０】
次に、背面ダクト風路調整部９０が背面ダクト９０ｂの吸込み高さを調整する（ステップ７）。庫内２の背面ダクト９０ｂの吸込み高さを低く、庫内１と庫内３の背面ダクト９０ｂの吸込み高さを高く設定する（ステップ２４）。そして、ファン風量調整部９１が庫内ファン９１ｂの風量を調整する（ステップ９）。庫内２のファン９２ｃの風量を多く、庫内１と庫内３のファン９２ｃの風量を少なく設定する（ステップ２５）。以上で処理を終了する。
【００３１】
なお、冷温設定の組合せはこれに限定されるものではない。
【００３２】
以上のように、本実施の形態においては、庫内状態識別部１１０（負荷制御優先順位識別部１００）を冷却加温設定識別部１１２とすることにより、加温設定された横の庫内といった冷却するのに時間のかかる庫内に対して、背面ダクト９０ｂの高さを低くし、また庫内ファン９１ｂの風量を多くすることで冷却能力を上げることができるため、加温設定庫内横の冷却負荷の大きい庫内においても商品を所定の温度に冷却する時間を短縮でき、大量販売に対応できる。
【００３３】
（実施の形態３）
図１は、本発明の実施の形態３における自動販売機の制御装置の構成図であり、詳細な説明は実施の形態１に記載しているため省略する。
【００３４】
図４は、本発明の第３の実施の形態における自動販売機の制御装置の動作を示すフローチャートであり、以下その動作、作用を説明する。
【００３５】
図４において、まず、販売量識別部１２１が販売量記憶部１２１ａに記憶されている庫内１〜庫内３の販売量を比較する（ステップ３１・ステップ３２）。ステップ３２で、販売量の多い順に、庫内１・庫内２・庫内３となった場合（ステップ３３）、負荷制御優先順位を庫内１・庫内２・庫内３の順に決定する（ステップ５・ステップ６）。以下のステップは実施の形態１と同一のため処理を省略する。
【００３６】
なお、販売量の多い順は庫内１・庫内２・庫内３に限定されるものではない。
【００３７】
また、全庫内の販売量が多い自販機の場合、全庫内の背面ダクト９０ｂの吸込み高さを低くし、庫内ファン９１ｂの風量を多くしても同様の効果を得ることができる。
【００３８】
以上のように、本実施の形態においては、ロケーション状態識別部１２０（負荷制御優先順位識別部１００）を販売量識別部１２１とすることにより、販売量の多い庫内に対して、販売量の多い庫内の背面ダクト９０ｂの高さを低くし、また庫内ファン９１ｂの風量を多くすることで冷却能力を上げることができるため、販売量が多く早急に冷却商品を販売する必要がある場合においても、商品を所定の温度へ冷却する時間を短縮することができ、大量販売に対応できる。
【００３９】
（実施の形態４）
図１は、本発明の実施の形態４における自動販売機の制御装置の構成図であり、詳細な説明は実施の形態１に記載しているため省略する。
【００４０】
図５は、本発明の第４の実施の形態における自動販売機の制御装置の動作を示すフローチャートであり、以下その動作、作用を説明する。
【００４１】
図５において、まず、販売促進商品識別部１２２が販売促進商品記憶部１２２ａに記憶されている庫内１〜庫内３の販売促進商品の有無とその数量を比較する（ステップ４１）。庫内１の販売促進商品の数量が最も多く、次に庫内２で、庫内３に販売促進商品が無い場合（ステップ４２）、負荷制御優先順位を庫内１・庫内２・庫内３の順に決定する（ステップ５・ステップ６）。以下のステップは実施の形態１と同一のため処理を省略する。
【００４２】
なお、販売促進商品の数量の多さは庫内１・庫内２・庫内３に限定されるものではない。
【００４３】
また、全庫内の販売促進商品の数量が多い自販機の場合、全庫内の背面ダクト９０ｂの吸込み高さを低くし、庫内ファン９１ｂの風量を多くしても同様の効果を得ることができる。
【００４４】
以上のように、本実施の形態においては、ロケーション状態識別部１２０（負荷制御優先順位識別部１００）を販売促進商品識別部１２２とすることにより、販売したい商品が多く収納されている庫内に対して、背面ダクト９０ｂの高さを低くし、また庫内ファン９１ｂの風量を多くすることで冷却能力を上げることができるため、より早く販売したい商品がある場合においても、商品を所定の温度へ冷却する時間を短縮することができ、大量販売に対応できる。
【産業上の利用可能性】
【００４５】
以上のように、本発明にかかる自動販売機の制御装置は、商品を所定の温度へ冷却する時間を短縮することができ、大量販売に対応することが効能となるので、大量販売を目的とする自動販売機等の用途にも適用できる。
【図面の簡単な説明】
【００４６】
【図１】本発明の実施の形態１ないし４における自動販売機の制御装置の構成図
【図２】本発明の実施の形態１における自動販売機の制御装置の動作を示すフローチャート
【図３】本発明の実施の形態２における自動販売機の制御装置の動作を示すフローチャート
【図４】本発明の実施の形態３における自動販売機の制御装置の動作を示すフローチャート
【図５】本発明の実施の形態４における自動販売機の制御装置の動作を示すフローチャート
【図６】従来の自動販売機の実施形態の断面図
【符号の説明】
【００４７】
９０  背面ダクト風路調整部
９０ａ  背面ダクト高さ記憶部
９０ｂ  背面ダクト
９１  ファン風量調整部
９１ａ  ファン風量記憶部
９１ｃ  庫内ファン
９２  負荷制御部
９２ａ  電磁弁
９２ｂ  圧縮機
１００  負荷制御優先順位識別部
１１０  庫内状態識別部
１１１  庫内容積識別部
１１１ａ  庫内容積記憶部
１１２  冷却加温設定識別部
１１２ａ  冷却加温設定記憶部
１２０  ロケーション状態識別部
１２１  販売量識別部
１２１ａ  販売量記憶部
１２２  販売促進商品識別部
１２２ａ  販売促進商品記憶部
２００  主制御部
【図１】
2010160677.tif 000003
【図２】
2010160677.tif 000004
【図３】
2010160677.tif 000005
【図４】
2010160677.tif 000006
【図５】
2010160677.tif 000007
【図６】
2010160677.tif 000008